(57)【要約】【課題】本発明は、内容物の補充が容易な取替式スライドケースを提供する。【解決手段】  取替式スライドケースは、第１の開口を有する容器本体と、前記第１の開口を通して前記容器本体に着脱可能に収納され、前記第１の開口と同一方向に開放する第２の開口を有する内ケースと、前記容器本体に設けられたレールに沿ってスライド可能であり、前記第１の開口を覆う蓋体と、前記蓋体は、スライドすることで前記容器本体に収納された前記内ケースの前記第2の開口の少なくとも一部を開閉可能であることを特徴とする。このような取替式スライドケースでは、内容物の交換が容易になる。【選択図】図１
2020121760.tif 000002
【特許請求の範囲】
【請求項１】
第１の開口を有する容器本体と、
前記第１の開口を通して前記容器本体に着脱可能に収納され、前記第１の開口と同一方向に開放する第２の開口を有する内ケースと、
前記容器本体に設けられたレールに沿ってスライド可能であり、前記第１の開口を覆う蓋体とを備え、
前記蓋体は、スライドすることで前記容器本体に収納された前記内ケースの前記第2の開口の少なくとも一部を開閉可能であることを特徴とする、取替式スライドケース。
【請求項２】
前記内ケースは、首部と胴部とを含むビン枠形状に形成された側周部を備える、請求項１に記載の取替式スライドケース。
【請求項３】
さらに、前記第２の開口を封するように、前記内ケースにおける前記側周部の開口端の全域に貼着されるシートを備え、
前記内ケースは、前記シートが貼着されることにより密閉される、請求項１または２に記載の取替式スライドケース。
【請求項４】
さらに、前記第２の開口を封するように、前記内ケースにおける前記側周部の開口端の全域に粘着して貼着されるシートを備え、
前記シートにおいて前記第２の開口の前記首部に対応する部分がめくられることで前記第２の開口の一部が取出口として形成され、
前記取出口の前記シートは、前記蓋体が前記取出口を閉じた状態で、再度粘着させることにより前記取出口を密閉する、請求項３に記載の取替式スライドケース。
【請求項５】
さらに、前記第２の開口を封するように、前記内ケースにおける前記側周部の開口端の全域に貼着されるシートを備え、
前記シートにおいて前記第２の開口の前記首部に対応する部分がめくられることで前記第２の開口の一部が取出口として形成され、
前記蓋体は、スライドすることで前記内ケースの前記取出口を開閉可能である、請求項２に記載の取替式スライドケース。
【請求項６】
前記シートの前記内ケースの前記首部に対応する部分は、切断することで前記シートの他の部分と切り離し可能である、請求項５に記載の取替式スライドケース。
【発明の詳細な説明】
【技術分野】
【０００１】
本発明は、取替可能な内ケースと、内ケースを収納する容器本体と、容器本体を蓋する蓋体とを含む取替式スライドケースに関する。
【背景技術】
【０００２】
従来より、錠剤の菓子、サプリメント、薬等の内容物入れる容器として、容器本体と、容器本体にスライド可能に取り付けられた蓋体とを備えるスライドケースがある。例えば、特許文献１に記載されたスライドケースは、上部に開口を有する平板形状の容器と、該容器に設けられたレールに沿ってスライド可能に容器の開口部を覆うスライド蓋とを備える。
【０００３】
このようなスライドケースによれば、スライド蓋の開閉や、スライド蓋が閉じた状態での維持が容易であるとともに、開閉操作が繰り返し行われてもストッパー機能が低下することがない。特に、特許文献１に記載のスライドケースでは、複数のケースが連結して使用されることが想定されている。
【先行技術文献】
【特許文献】
【０００４】
【特許文献１】特開２００４−２３１２２２号公報
【発明の概要】
【発明が解決しようとする課題】
【０００５】
しかし、上述のようなスライドケースでは、開閉操作等のスライドケースとしての機能は十分であるものの、内容物を消費すると補充する必要が生じ、一粒一粒補充する作業が迂遠であった。また、一度スライドケースの内部が汚染された場合には、新たに補充された内容物にも汚染が広がる恐れがあり、または、異なる内容物を新たに補充した場合には、前の内容物の残渣が後の内容物に付着してしまう等の課題があった。
【０００６】
本発明は、上記のような課題に鑑み、内容物の補充が容易な取替式スライドケースを提供することを目的とする。
【課題を解決するための手段】
【０００７】
（１）本発明に係る取替式スライドケースは、第１の開口を有する容器本体と、前記第１の開口を通して前記容器本体に着脱可能に収納され、前記第１の開口と同一方向に開放する第２の開口を有する内ケースと、前記容器本体に設けられたレールに沿ってスライド可能であり、前記第１の開口を覆う蓋体とを備え、前記蓋体は、スライドすることで前記容器本体に収納された前記内ケースの前記第2の開口の少なくとも一部を開閉可能であることを特徴とする。
【０００８】
このような取替式スライドケースでは、内容物の補充において、容器本体と、スライド可能な蓋体とから構成される外ケースに対して、蓋体をスライドさせて開いた状態とし、内容物が少なくなった状態、または無くなった状態の内ケースに代えて、内容物が充填された内ケースに交換することにより、内容物を容易に補充できる。したがって、このような取替式スライドケースによれば、内容物の補充が容易になる。
【０００９】
（２）前記した取替式スライドケースにおいて、前記内ケースは、首部と胴部とを含むビン枠形状に形成された側周部を備えていてもよい。そのようにすれば、容器本体と蓋体からなる外ケースの開放される側に内ケースの首部が配置されるように、内ケースが外ケースに収納されることにより、内ケースの首部から内容物が放出可能となり、内容物の数量の調整が容易になる。
【００１０】
（３）前記した取替式スライドケースにおいて、さらに、前記第２の開口を封するように、前記内ケースにおける前記側周部の開口端の全域に貼着されるシートを備え、前記内ケースは、前記シートが貼着されることにより密閉されてもよい。そのようにすれば、内ケースは、外ケースに収納される前に、第２の開口の開口端の全域にシートを貼着されてることで密閉されているため、内ケースは、容器本体から離れて個別の商品として流通可能であり、いわゆる取替可能容器として容易に機能する。
【００１１】
（４）前記した取替式スライドケースにおいて、さらに、前記第２の開口を封するように、前記内ケースにおける前記側周部の開口端の全域に粘着して貼着されるシートを備え、前記シートにおいて前記第２の開口の前記首部に対応する部分がめくられることで前記第２の開口の一部が取出口として形成され、前記取出口の前記シートは、前記蓋体が前記取出口を閉じた状態で、再度粘着させることにより前記取出口を密閉するようにしてもよい。そのようにすれば、前記取出口の前記シートは、前記蓋体が前記取出口を閉じた状態で、再度粘着させることにより前記取出口を密閉する。そのようにすれば、一度開封した内ケースにおいて、再度気密性が高められ、取替式スライドケースに保香性、防湿性等の機能を付与することができる。
【００１２】
（５）前記した（２）に記載の取替式スライドケースにおいて、さらに、前記第２の開口を封するように、前記内ケースにおける前記側周部の開口端の全域に貼着されるシートを備え、前記シートにおいて前記第２の開口の前記首部に対応する部分がめくられることで前記第２の開口の一部が取出口として形成され、前記蓋体は、スライドすることで前記内ケースの前記取出口を開閉可能であってもよい。
【００１３】
そのようにすれば、シートで第２の開口の全域が密閉された状態の内ケースを準備し、第２の開口の首部に対応する部分をめくることで取出口を容易に形成することができるとともに、内ケースが外ケースに収納されることにより、第２の開口の首部に相当する取出口から内容物を取り出すことになるため、放出される内容物の数量を容易に調整することができる。
【００１４】
（６）前記した（５）に記載の取替式スライドケースにおいて、前記シートの前記内ケースの前記首部に対応する部分は、切断することで前記シートの他の部分と切り離し可能であってもよい。そのようにすれば、蓋体のスライドが円滑になり、また取出口から内容物を取り出す作業が容易になる。
【発明の効果】
【００１５】
本発明は、内容物の補充が容易な取替式スライドケースを提供できる。
【図面の簡単な説明】
【００１６】
【図１】本発明の第１の実施形態に係る取替式スライドケースを構成する容器本体、内ケースおよび蓋体を示す斜視図である。
【図２】図１に示す取替式スライドケースの開閉状態を示す図であり、（Ａ）は、内ケースを容器本体に収納した状態を示す斜視図であり、（Ｂ）は、容器本体に蓋体を取り付けた状態を示す斜視図であり、（Ｃ）は、蓋体をスライドさせて容器本体の第１の開口を蓋した状態を示す斜視図である。
【図３】図１における容器本体を示し、（Ａ）は斜視図であり、（Ｂ）は平面図であり、（Ｃ）は正面図であり、（Ｄ）は側面図である。
【図４】図１における内ケースを示し、（Ａ）は斜視図であり、（Ｂ）は平面図であり、（Ｃ）は正面図であり、（Ｄ）は側面図である。
【図５】図４における内ケースの層構成を示す概念側断面図である。
【図６】図１における蓋体を示し、（Ａ）は斜視図であり、（Ｂ）は底面図であり、（Ｃ）は正面図であり、（Ｄ）は側面図である。
【図７】第２の実施形態に係る内ケースを示す斜視図である。
【図８】図７におけるシートの層構成を示す概念側断面図である。
【図９】第２の実施形態の変形例に係る蓋体を示す底面図である。
【図１０】第２の実施形態の変形例に係る内ケースを示す斜視図である。
【図１１】第２の実施形態の変形例に係る取替式スライドケースの内ケース内が密閉された状態を示す拡大側断面図である。
【発明を実施するための形態】
【００１７】
本発明の実施形態に係る取替式スライドケースＣについて、図１〜図１１を参照して詳細に説明する。取替式スライドケースＣは、内ケース２を取替可能に構成されており、内ケース２に錠剤のサプリメントや薬のような内容物を収容可能である。
【００１８】
［第１の実施形態］
図１に示すように、第１の実施形態に係る取替式スライドケースＣは、容器本体１と、容器本体１に着脱可能に収納される内ケース２と、容器本体１に設けられたレール１ｒに沿ってスライドすることにより容器本体１を開閉可能である蓋体３とを備える。取替式スライドケースＣは、図２に示すように、容器本体１に内ケース２を収納し、蓋体３をスライドさせることで、開閉可能とされている。
【００１９】
図３に示すように、容器本体１は、直方体の箱状に形成されており、直方体の一方の面を開放した第１の開口１０を有し、直方体の内部に収納空間Ｓを形成されている。本実施形態において、容器本体１は、平面視で概略矩形の平板状に形成されており、最も大きい面の一方を開放した箱状とされている。容器本体１は、箱状の底となる第１の底面部１１と、箱の側壁１２とを備える。
【００２０】
容器本体１は、平板状の長手方向の一対の側壁１２の外側に、蓋体３をスライド可能にはめ込まれる一対のレール１ｒを形成されている。長手方向の一対の側壁１２は、蓋体３を取り付けた際にスライド範囲を規制するストッパー部１６を形成されている。容器本体１は、従来よく知られる射出成形により合成樹脂を材料に製作することができる。
【００２１】
図４に示すように、内ケース２は、容器本体１に収納された状態で第１の開口１０と同一方向に開放する第２の開口２０を有する。また、内ケース２は、容器本体１の第１の開口１０を通して容器本体１に着脱可能に収納される。本実施形態において、内ケース２は、第２の開口２０を形成する側周部２２と、第２の開口２０と概略同一の形状を有する第２の底面部２１とからなる。
【００２２】
内ケース２の側周部２２は、首部２ｎと、肩部２ｓと、胴部２ｂとを含むビン枠形状に形成され、第２の底面部２１も概略同一のビン形状を有する。また、側周部２２は、外側に突出するフランジ部２３を形成されている。内ケース２は、従来よく知られる、真空成形等により合成樹脂を材料に製作することができる。
【００２３】
また、図５に示すように、内ケース２は、外側から、第１の表層２ａ、バリヤ層２ｂ、および第２の表層２ｃの順に積層された多層構造を有する。第１および第２の表層２ａ、２ｃは、ポリエチレン、ポリプロピレン、エチレン−酢酸ビニル共重合体等からなり、バリヤ層２ｂは、エチレン−ビニルアルコール共重合体、ＭＸＤナイロン等からなる。なお、内ケースは、バリヤ層と各表層との間には、再生原料層を備えていてもよい。
【００２４】
図６に示すように、蓋体３は、平面視で容器本体１と概略同一の矩形の平板状に形成されており、容器本体１のレール１ｒに沿ってスライド可能に構成されている。本実施形態において、容器本体１は、容器本体１よりも薄い平板状に形成されており、容器本体１と対向する面（図１における下側の面）と、スライドして容器本体１を受け入れる面とを開放している。
【００２５】
したがって、蓋体３は、容器本体１の第１の開口１０を覆う蓋面部３１と蓋面部３１の側周の３辺に対応する矩形枠形状の側壁部３２とを備える。蓋体３の長手方向に設けられた一対の側壁部３２は、容器本体１のレール１ｒにはめ込まれ、蓋体３が容器本体１に対してスライド可能となるように案内する。蓋体３は、従来よく知られるように、射出成形により合成樹脂を材料に製作することができる。蓋体３は、容器本体１と同一の材料により製作されてもよい。
【００２６】
容器本体１と蓋体３とは、内ケース２を収納した状態、内ケース２を収納しない状態にかかわらず、本体容器のレール１ｒに蓋体３の長手方向の側壁部３２をはめ込み、容器本体１に対して、蓋体３をスライド可能としている。本明細書において、容器本体１と蓋体３とから形成されるスライドケースを外ケースとも称する。
【００２７】
内ケース２は、容器本体１の収納空間Ｓに収納可能となるように、容器本体１の収納空間Ｓよりも小さい平面寸法を有し、かつ、収納空間Ｓよりも低い高さ寸法を有する。これにより、内ケース２を容器本体１に収納した状態でも、蓋体３をスライドさせるときに、内ケース２が蓋体３のスライドを阻害することがない。また、蓋体３の一対の側壁部３２は、その端部が容器本体１のストッパー部１６に当接して、蓋体３がスライドする範囲を規制される。
【００２８】
また、本体容器１に収納された内ケース２と、容器本体１のレール１ｒに側壁部３２をはめ込まれた蓋体３とにおいて、内ケース２の側周部２２の上端（開口端）と、蓋体３の蓋面部３１の内側面との間隔は、内容物が通過できない程度まで狭くなっている。これにより、内容物が、内ケース２と外ケースとの間に侵入してしまうことを防止できる。
【００２９】
また、容器本体１の収納空間Ｓは、内ケース２の首部２ｎと肩部２ｓとに当接して移動を規制するための凸部１３と、胴部２ｂに当接して移動を規制するための凸部１４とを備える。凸部１３および凸部１４が形成されていることで、容器本体１は、内ケース２に対応した収納空間Ｓを形成することができ、容器本体１に収納された内ケース２が収納空間Ｓ内で移動することを規制する。さらに、容器本体１は、内ケース２が収納された状態で内ケース２のフランジ部２３を上方に規制する凸部１５を形成されている。
【００３０】
内ケース２は、内容物を収容した状態で容器本体１に収納され（図２の（Ａ）を参照）、蓋体３が容器本体１にスライド可能に取り付けられて（図２（Ｂ）を参照）、蓋体３がスライドして容器本体１の第１の開口１０および内ケース２の第２の開口２０を蓋する（図２（Ｃ）を参照）。このように取替式スライドケースＣは、内ケース２を容易に取り替えることができる。
【００３１】
［第２の実施形態］
本発明の第２の実施形態に係る取替式スライドケースＣは、内ケース２に貼着されるシート４が追加される以外は、第１の実施形態と同様の構成を有する。すなわち、第２の実施形態に係る取替式スライドケースＣは、容器本体１、内ケース２および蓋体３に加えて、内ケース２にシート４が貼着される点でのみ異なる。
【００３２】
したがって、以下の説明では、容器本体１、内ケース２および蓋体３の構成については説明を一部省略し、シート４または容器本体１、内ケース２および蓋体３のシート４に関わる部分のみについて詳細に説明する。また、本明細書において、貼着とは、貼り付けられた状態を意味し、接着、粘着、溶着、融着等を含む。
【００３３】
図７に示すように、第２の実施形態に係る取替式スライドケースＣにおいて、シート４は、内ケース２のビン枠形状の側周部２２に対して貼着されている。具体的には、シート４は、側周部２２の開口端に溶着されている。また、シート４は、内ケース２の首部２ｎに対応するシート首部４１（首部に対応する部分）と、内ケース２の肩部２ｓおよび胴部２ｂに対応するシート本体部４２（他の部分）とを備える。
【００３４】
シート首部４１をめくることで、内ケース２の第２の開口２０の一部を開放することができる。また、シート首部４１は、内ケース２の側周部２２より外側に一部をはみ出すように摘み部４１ｍを形成されており、摘み部４１ｍによりシート首部４１をめくりやすくする。
【００３５】
また、シート首部４１と、シート本体部４２とは切断できるように、切取線（図示なし）が設けられている。切取線は、例えば、レーザを利用して、従来よく知られるハーフカット加工により形成されている。これにより、シート４の内ケース２の首部２ｎに対応する部分をめくって切断することで、内ケース２は第２の開口２０の首部２ｎだけが開放した状態となる。
【００３６】
また、シート４は、内ケース２に貼着される側から、シーラント層４ａ、中間層４ｂ、および基材層４ｃの順に積層された多層構造を有する。シーラント層は、ポリエチレン、ポリプロピレン、エチレン−酢酸ビニル共重合体等からなり、中間層は、エチレン−ビニルアルコール共重合体、アルミ等を材料とする金属箔、蒸着フィルム等からなり、基材層は、二軸延伸ナイロンフィルム、二軸延伸ポリエチレンテレフタレートフィルム、二軸延伸ポリプロピレンフィルム等の延伸フィルム等からなる。なお、基材層に金属、シリカ等の無機物を蒸着した蒸着フィルムを用いることにより、中間層を設けずに、バリヤ性を有するシートを形成することもできる。
【００３７】
なお、内ケース２は、外ケースに収納される前は、平面視で内ケース２と概略同一形状のシート４により第２の開口２０の全部を封されている。これにより、内ケース２は、外ケースに収納されていなくとも、個別の商品として流通可能であり、いわゆる取替可能容器として機能する。
【００３８】
第２の開口２０の首部２ｎだけが開放した状態の内ケース２を容器本体１に収納した状態で、蓋体３をスライドさせると、内ケース２の開放した部分だけが外ケースの外部と連通することになり、第２の開口２０の一部を内容物の取出口として機能させることができる。内ケース２は、容器本体１に収納される前、または、収納された後に、取出口を形成することができる。
【００３９】
次に、第２の実施形態に係る取替式スライドケースＣの変形例について説明する。変形例に係るシート４は、内ケース２の首部２ｎにおいて、側周部２２の上端（開口端）に粘着材により貼着されている。また、シート４のシート首部４１を切り取ることなく、蓋体３をスライドさせて閉じた状態で、蓋体３により、シート４のめくれた部分を再び内ケース２の側周部２２の上端（開口端）に密着させて、シート４が開口端に粘着することにより、内ケース２の気密性を確保することができる。
【００４０】
具体的には、図９に示すように、収納された内ケース２の首部に対応する形状の突出部３３を蓋体３の蓋面部３１の内面側に形成する。これにより、図１０に示すようなシート首部４１をめくった状態で外ケースに収納する。そして、蓋体３をスライドして取替式スライドケースＣを閉じた状態とすると、図１１に示すように、内ケース２の側周部２２に向けて蓋体３の突出部３３がシート４を押圧するように機能する。これにより、外ケースを閉じた状態で内ケース２が密閉されて気密性が保持される。
【００４１】
ここで、気密性の度合いにより、取替式スライドケースＣは、保香機能、防湿機能等の機能を有することができる。気密性については、シート４の内ケース２への密着性およびシート４の層構成等を変更することにより調整することができる。例えば、シート４の厚さと、内ケース２の側周部２２と蓋体３の突出部３３との間隔とを調整することにより、外ケースを閉じた状態でのシート４の密着性を高めることができる。
【００４２】
さらに、シート４を内ケース２の側壁部３２の外側に、はみ出すようにして折り返し可能として、折り返した部分を内ケース２と外ケースで挟み込むようにして内ケース２を密閉するようにしてもよい。なお、シート４を内ケース２の側周部２２の外側にはみ出した部分は、シート４をめくり始める摘み部分として機能する。
【００４３】
第２の実施形態において、シート４の一部をめくって第２の開口２０の一部を取出口として機能させる形態について説明した。しかし、シート４の全部をめくって第２の開口２０の全部を取出口として機能させるようにしてもよい。この場合は、シート４の全部をめくった後は、第１の実施形態と同様となり、内ケース２を外ケースに収納した状態で、蓋体３をスライドさせ、第２の開口２０の連通した部分から内容物を放出させることができる。
【００４４】
第１および第２の実施形態において、内ケース２がビン枠形状の形態について説明した。しかし、内ケース２はどのような形状であってもよい。内ケース２の形状に合わせて、容器本体１の枠の形状を調整すれば、内ケース２を容器本体１の収納空間Ｓ内で移動しないよう抑制することができる。
【００４５】
第１および第２の実施形態において、外ケースが平板形状の形態について説明した。しかし、外ケースは、スライド可能に構成されていれば、他の形状であってもよい。例えば、外ケースは、立方体の箱状に形成され、その一面を開放するようにスライド可能であってもよい。
【００４６】
第２の実施形態の変形例において、蓋体３の突出部３３でシート４を内ケース２の側周部２２の上端に押圧して内ケースに密着させる形態について説明した。しかし、シート４は、蓋体３の突出部３３に押圧されることなく、粘着材の粘着力のみで内ケース２の側周部２２の上端に密着してもよい。
【００４７】
第１および第２の実施形態において、内ケース２は、第１の表層２ａ、バリヤ層２ｂ、および第２の表層２ｃの順に積層された３層構造で形成される形態について説明した。しかし、内ケース２は、３層構造以外に、単層構造、２層構造または４層以上の多層構造であってもよい。また、第１および第２の実施形態において、内ケース２は、バリヤ層を備えることによりバリヤ性を有するが、必ずしもバリヤ層を備える必要はなく、バリヤ性を有しなくてもよい。
【００４８】
第１および第２の実施形態において、シート４は、シーラント層４ａ、中間層４ｂ、および基材層４ｃの順に積層された３層構造を有する形態について説明した。しかし、シート４は、３層構造以外に、単層構造、２層構造または４層以上の多層構造であってもよい。また、シート４は、バリヤ性を有していることが望ましいが、バリヤ性を有しない材料で構成されてもよい。
【００４９】
以上、本発明の具体的な態様の例を、上記の実施形態、変形例により説明したが、本発明は、当該実施形態および変形例に限定されるものではない。
【符号の説明】
【００５０】
Ｃ      取替式スライドケース
１      容器本体
１ｒ    レール
２      内ケース
２ｎ    首部
２ｓ    肩部
２ｂ    胴部
３      蓋体
４      シート
１０    第１の開口
２０    第２の開口
２２    側周部
４１    シート首部（内ケースの首部に対応する部分）
４２    シート本体部（内ケースの首部以外の部分）
【図１】
2020121760.tif 000003
【図２】
2020121760.tif 000004
【図３】
2020121760.tif 000005
【図４】
2020121760.tif 000006
【図５】
2020121760.tif 000007
【図６】
2020121760.tif 000008
【図７】
2020121760.tif 000009
【図８】
2020121760.tif 000010
【図９】
2020121760.tif 000011
【図１０】
2020121760.tif 000012
【図１１】
2020121760.tif 000013